(57)【要約】  ビードワイヤー巻き出しシステムは、第１ビードワイヤーコイルを受けるように構成された第１コイルマウントと、第２ビードワイヤーコイルを受けるように構成された第２コイルマウントと、を含む。第１及び第２コイルマウントは、ビードワイヤーを、最初に第１ビードワイヤーコイルから、次いで、第１ビードワイヤーコイルが使い尽くされたとき第２ビードワイヤーコイルから、連続的に巻き出すように構成されている。【選択図】図１
2019529168.tif 000002
【特許請求の範囲】
【請求項１】
第１ビードワイヤーコイルを受けるように構成された第１コイルマウントと、第２ビードワイヤーコイルを受けるように構成された第２コイルマウントと、を含むビードワイヤー巻き出しシステムであって、
第１及び第２コイルマウントは、ビードワイヤーを、最初に第１ビードワイヤーコイルから、次いで、第１ビードワイヤーコイルが使い尽くされたとき第２ビードワイヤーコイルから、連続的に巻き出すように構成されている、ビードワイヤー巻き出しシステム。
【請求項２】
第１コイルマウントは、さらに、第１のビードワイヤーコイルが使い尽くされたとき、第１ビードワイヤーコイルを交換するために、第３ビードワイヤーコイルを受けるように構成され、第１及び第２コイルマウントは、さらに、ビードワイヤーを、最初に第１ビードワイヤーコイルから、次いで第１のビードワイヤーコイルが使い尽くされたとき、第２ビードワイヤーコイルから、次いで、第２ビードワイヤーコイルが使い尽くされたとき、第３ビードワイヤーコイルから連続的に巻き出すように構成される、請求項１のビードワイヤー巻き出しシステム。
【請求項３】
支持フレームを含み、第１コイルマウントおよび第２コイルマウントは支持フレームに取り付けられている、請求項１又は２によるビードワイヤー巻き出しシステム。
【請求項４】
支持フレームは、さらに、水平支持体及び水平支持体から延びる垂直支持体を含み、第１コイルマウント及び第２コイルマウントは水平支持体に取り付けられ、プーリーが垂直支持体に取り付けられ、プーリーは、第１及び第２コイルマウントから巻き出されたビードワイヤーを受けるように構成され、さらにビードワイヤーを出力部の方に差し向けるように構成される、請求項３のビードワイヤー巻き出しシステム。
【請求項５】
第１コイルマウントは、第１コアと、第１上部フランジと、を含み、第１上部フランジは、第１ビードワイヤーコイルの取付けに順応するように取り外せるように構成され、
第２コイルマウントは、第２コアと、第２上部フランジと、を含み、第２上部フランジは、第２ビードワイヤーコイルの取付けに順応するように取り外せるように構成される、請求項１乃至４のいずれか１項によるビードワイヤー巻き出しシステム。
【請求項６】
第１及び第２コイルマウントは、ビードワイヤーを第１及び第２ビードワイヤーコイルから受動的に巻き出す、請求項１乃至５のいずれか１項によるビードワイヤー巻き出しシステム。
【請求項７】
第１コイルマウントは、第２コイルマウントと無関係に、コイル装填形態とコイル巻き出し形態との間で移動でき、
第２コイルマウントは、第１コイルマウントと無関係に、コイル装填形態とコイル巻き出し形態との間で移動できる、請求項１乃至６のいずれか１項によるビードワイヤー巻き出しシステム。
【請求項８】
第１コイルマウントは、コイル装填形態とコイル巻き出し形態との間で回転でき、コイル装填形態では、第１コイルマウントは実質的に水平であり、コイル巻き出し形態では、第１コイルマウントは、ビードワイヤー巻き出しシステムの中心線の方に傾けられ、
第２コイルマウントは、コイル装填形態とコイル巻き出し形態との間で回転でき、コイル装填形態では、第２コイルマウントは実質的に水平であり、コイル巻き出し形態では、第２コイルマウントは、ビードワイヤー巻き出しシステムの中心線の方に傾けられる、請求項７のビードワイヤー巻き出しシステム。
【請求項９】
第１コイルマウントは、コイル装填形態とコイル巻き出し形態との間で摺動でき、コイル装填形態では、第１コイルマウントはビードワイヤー巻き出しシステムの中心線から滑り去り、コイル巻き出し形態では、第１コイルマウントは、ビードワイヤー巻き出しシステムの中心線の方に滑り、
第２コイルマウントは、コイル装填形態とコイル巻き出し形態との間で摺動でき、コイル装填形態では、第２コイルマウントはビードワイヤー巻き出しシステムの中心線から滑り去り、コイル巻き出し形態では、第２コイルマウントは、ビードワイヤー巻き出しシステムの中心線の方に滑る、請求項７のビードワイヤー巻き出しシステム。
【請求項１０】
第１コイルマウントは、また、コイル装填形態とコイル巻き出し形態との間で回転でき、コイル装填形態では、第１コイルマウントは実質的に水平であり、コイル巻き出し形態では、第１コイルマウントは、ビードワイヤー巻き出しシステムの中心線の方に傾けられ、
第２コイルマウントは、また、コイル装填形態とコイル巻き出し形態との間で回転でき、コイル装填形態では、第２コイルマウントは実質的に水平であり、コイル巻き出し形態では、第２コイルマウントは、ビードワイヤー巻き出しシステムの中心線の方に傾けられる、請求項９のビードワイヤー巻き出しシステム。
【請求項１１】
第２コイルマウントは、第１ビードワイヤーコイルが使い尽くされたとき、ビードワイヤーを、第１ビードワイヤーコイルの後端を第２ビートワイヤーのリード端に取り付けて第２ビードワイヤーコイルから自動的に巻き出し始めるように構成される、請求項１乃至１０のいずれか１項によるビードワイヤー巻き出しシステム。
【請求項１２】
第２コイルマウントは、第１ビードワイヤーコイルが使い尽くされたとき、ビードワイヤーを、第１ビードワイヤーコイルの後端を第２ビートワイヤーのリード端に取り付けて第２ビードワイヤーコイルから自動的に巻き出し始めるように構成され、
第１コイルマウントは、第２ビードワイヤーコイルが使い尽くされたとき、ビードワイヤーを、第２ビードワイヤーコイルの後端を第３ビートワイヤーのリード端に取り付けて第２ビードワイヤーコイルから自動的に巻き出し始めるように構成される、請求項２のビードワイヤー巻き出しシステム。
【請求項１３】
第１コイルマウントに取り付けられた第１ビードワイヤーコイルと、第２コイルマウントに取り付けられた第２ビードワイヤーコイルと、を含む、請求項１乃至１２のいずれか１項によるビードワイヤー巻き出しシステム。
【請求項１４】
第１コイルマウントと、
第１コイルマウントに取付けられた第１ビードワイヤーコイルと、
第２コイルマウントと、
第２コイルマウントに取付けられた第２ビードワイヤーコイルと、
を含むビードワイヤー巻き出しシステムであって、
第１ビードワイヤーコイルは、ビードワイヤーを巻き出すように構成され、第１ビードワイヤーコイルは、第１ビードワイヤーコイルが使い尽くされたとき、ビードワイヤーを、第２ビードワイヤーコイルから自動的に巻き出し始めるように構成され、
ビードワイヤーは、第１ビードワイヤーコイルから第２ビードワイヤーコイルまで連続的である、ビードワイヤー巻き出しシステム。
【請求項１５】
第１ビードワイヤーコイルを第１コイルマウントに装填し、
第２ビードワイヤーコイルを第２コイルマウントに装填し、
第１ビードワイヤーコイルの後端を第２ビードワイヤーコイルのリード端に取付け、
第１ビードワイヤーコイルからビードワイヤーを巻き出し、第１ビードワイヤーコイルからビードワイヤーが巻き出された後、ビードワイヤーを第２ビードワイヤーコイルから巻き出し、ビードワイヤーは、第１ビードワイヤーコイルからビードワイヤーが巻き出された後、第２ビードワイヤーコイルから自動的に巻き出される、ビードワイヤーを巻き出す方法。
【請求項１６】
ビードワイヤーは、第１及び第２ビードワイヤーコイルの回転なしに第１及び第２ビードワイヤーコイルから受動的に巻き出される、請求項１５の方法。
【請求項１７】
巻き出された第１ビードワイヤーコイルを第３ビードワイヤーコイルと交換すること、
第２ビードワイヤーコイルの後端を第３ビードワイヤーコイルのリード端に取付けること、
第２ビードワイヤーコイルからビードワイヤーが巻き出された後、第３ビードワイヤーコイルからビードワイヤーを巻き出すこと、をさらに含み、ビードワイヤーは、第２ビードワイヤーコイルからビードワイヤーが巻き出された後、第３ビードワイヤーコイルから自動的に巻き出される、請求項１５又は１６による方法。
【請求項１８】
ビードワイヤーは、第１、第２及び第３ビードワイヤーコイルの回転なしに、第１、第２及び第３ビードワイヤーコイルから受動的に巻き出される、請求項１７の方法。
【請求項１９】
巻き出された第１ビードワイヤーコイルを交換する段階及び第２ビードワイヤーコイルの後端を第３ビードワイヤーコイルのリード端に取り付ける段階は、第２ビードワイヤーコイルからビードワイヤーを巻き出す段階中に行なわれる、請求項１７又は１８の方法。
【発明の詳細な説明】
【技術分野】
【０００１】
この開示はビードワイヤー巻き出しシステムに関する。
【背景技術】
【０００２】
この段落の記述は、本開示に関係した背景技術情報を提供し、そして先行技術を構成しない。
【０００３】
ビードワイヤーは、タイヤとホイールのリムとの間の連結箇所を補強しかつ固着するためにタイヤ工業で使用される。ビードワイヤーは、一般的には、スチール又は他の材料で作られた連続ワイヤーであり、ホイールのリムに係合するリッジを形成するためにタイヤの内側リムの回りに巻かれる。ビードワイヤーは、一般的には、大型のワイヤーリールとして製造されそしてタイヤ製造業者に引き渡され、次いでビードワイヤー巻き出し機でタイヤに巻き戻される。
【０００４】
周知のビードワイヤー巻き出しシステムは、いくつかの欠点を有している。例えば、ビードワイヤーリールからビードワイヤーを巻き戻すためにビードワイヤーリールを連続的に回転させなければならない。よく知られているように、ビードワイヤーの回転リールのような可動部品は、衰耗、騒音及び作業者を傷付ける大きな危険性を含む、いくつかの欠点を有する。周知のビードワイヤー巻き出しシステムは、また、連続的に作動することができない。ビードワイヤーリールが一旦使い尽くされると、作業者が使い尽くされたビードワイヤーリールを新しいリールと手動で交換する間ビードワイヤー製造工程全体を停止させなればならない。この停止及びビードワイヤーリールの手動交換は、生産性を低下させ、労働の要求を増す。
【０００５】
したがって、限られた時間で又は停止時間なしにビードワイヤーを連続的に巻き出すことができるビードワイヤー巻き出しシステムを有することが望ましい。有限数の可動部品を有するビードワイヤー巻き出しシステムを有することも望ましい。
【発明の概要】
【０００６】
この開示の１つの形態では、ビードワイヤー巻き出しシステムを提供する。ビードワイヤー巻き出しシステムは、第１ビードワイヤーコイルを受けるように構成された第１コイルマウントと、第２ビードワイヤーコイルを受けるように構成された第２コイルマウントと、を含む。更に、第１及び第２コイルマウントは、ビードワイヤーを、最初に第１ビードワイヤーコイルから、次いで第１のビードワイヤーコイルが使い尽くされたとき、第２ビードワイヤーコイルから、連続的に巻き出すように構成される。
【０００７】
ビードワイヤー巻き出しシステムは、また、第１のビードワイヤーコイルが使い尽くされたとき、第１ビードワイヤーコイルを交換するために、第１コイルマウントが第３ビードワイヤーコイルを受けるように構成されることを含むのがよい。この場合、第１及び第２コイルマウントは、さらに、ビードワイヤーを、先ず第１ビードワイヤーコイルから、次いで第１のビードワイヤーコイルが使い尽くされたとき、第２ビードワイヤーコイルから、次いで、第２ビードワイヤーコイルが使い尽くされたとき、第３ビードワイヤーコイルから、連続的に巻き出すように構成される。更に、第１及び第２コイルマウントは、第１及び第２ビードワイヤーコイルからビードワイヤーを受動的に巻き出すように構成される。さらに、第２コイルマウントは、第１のビードワイヤーコイルが使い尽くされたとき、第１ビードワイヤーの後端を第２ビードワイヤーコイルのリード端に取り付けて、ビードワイヤーを第２ビードワイヤーコイルから自動的に巻き出し始めるように構成されてもよい。
【０００８】
この開示の他の形態では、ビードワイヤー巻き出しシステムを提供する。ビードワイヤー巻き出しシステムは、第１コイルマウントと、第１コイルマウントに取り付けられた第１ビードワイヤーコイルと、第２コイルマウントと、第２コイルマウントに取り付けられた第２ビードワイヤーコイルと、を含む。更に、第１ビードワイヤーコイルは、ビードワイヤーを巻き出すように構成され、第２ビードワイヤーコイルは、第１ビードワイヤーコイルが使い尽くされたときビードワイヤーを第２ビードワイヤーコイルから自動的に巻き出し始めるように構成される。また、ビードワイヤーは、第１ビードワイヤーコイルから第２ビードワイヤーコイルまで連続的である。
【０００９】
この開示の更に他の形態では、ビードワイヤーを巻き出す方法を提供する。この方法は、第１ビードワイヤーコイルを第１コイルマウントに装填し、第２ビードワイヤーコイルを第２コイルマウントに装填し、第１ビードワイヤーコイルの後端を第２ビードワイヤーコイルのリード端に取付け、第１ビードワイヤーコイルからビードワイヤーを巻き出す、ことを含む。この方法は、更に、第１ビードワイヤーコイルからビードワイヤーが巻き出された後、ビードワイヤーを第２ビードワイヤーコイルから巻き出すことを含み、ビードワイヤーは、第１ビードワイヤーコイルからビードワイヤーが巻き出された後、第２ビードワイヤーコイルから自動的に巻き出される。
【００１０】
更なる適用可能な領域は、ここに提供される説明から明らかになろう。説明及び特別な例は、例示の目的だけに向けられ、本開示の範囲を限定するものではないことを理解すべきである。
【００１１】
ここに記載の図面は、例示目的のために過ぎず、いかなる方法でも本開示の範囲を限定するものではない。
【図面の簡単な説明】
【００１２】
【図１】開示の実施形態によるビードワイヤー巻き出しシステムの図である。
【図２】コイルマウントの図である。
【図３】ビードワイヤーコイルが装填されたビードワイヤー巻き出しシステムの図である。
【図４】第１ビードワイヤーコイルから第２ビードワイヤーコイルへ移行中のビードワイヤー巻き出しシステムの図である。
【図５】第１ビードワイヤーコイルから第２ビードワイヤーコイルへ移行中のビードワイヤー巻き出しシステムの他の図である。
【図６】第１ビードワイヤーコイルから第２ビードワイヤーコイルへ移行中のビードワイヤー巻き出しシステムの更に他の図である。
【図７】新たなビードワイヤーコイルの装着後のビードワイヤー巻き出しシステムの図である。
【図８】ビードワイヤーコイルを装着するビードワイヤー巻き出しシステムの図である。
【図９】保護カバーを付けたビードワイヤーコイルの図である。
【図１０】保護カバーを付けたビードワイヤーコイルの他の図である。
【図１１】保護カバーを付けたビードワイヤーコイルの更に他の図である。
【発明を実施するための形態】
【００１３】
次の説明は、単に、現存している例であり、本開示、適用又は用途を限定するものではない。図面全体を通して、対応する参照番号は、同様な又は対応する部品及び特徴部分を指すことを理解すべきである。図面に使用された種々の斜交平行線模様は、本開示で採用される特別な材料を限定するものではないことも理解すべきである。斜交平行線模様は、単に、好ましい材料の例示であり、又は明らかにする目的で図面に描かれた隣接する又は相手側構成要素間を区別するのに使用される。
【００１４】
図１は、支持フレーム１２を有するビードワイヤー巻き出しシステム１０を示す。支持フレーム１２は、水平な支持体１３を含み、該支持体１３は、第１コイル支持体１４及び第２コイル支持体１６を含む。垂直支持体１８は、水平支持体１３から垂直に延びるのがよい。垂直支持体１８には、プーリー２０が当該技術でよく知られた種々の手段を介して回転可能に取り付けられる。
【００１５】
第１コイルマウント２２が第１コイル支持体１４に取付けられ、第２コイルマウント２４が第２コイル支持体１６に取付けられる。第１コイルマウント２２は、図２にもっと詳細に示されている。第２コイルマウント２４は、第１コイルマウント２２と設計が同じ又は等しい。第１コイルマウント２２は、第１下部フランジ２６（第２コイルマウント２４では第２下部フランジ２８）と、第１上部フランジ３０（第２コイルマウント２４では第２上部フランジ３２）と、第１下部フランジと第１上部フランジ３０を互いに連結する第１中央コア３４（第２コイルマウント２４では第２中央コア３６）と、を有する。ビードワイヤーコイル（図示せず）が中央コア３４，３６の回りに取付けることができるようにするため、上部フランジ３０，３２は、それらの各々のコイルマウント２２，２４から取り外せる。次いで、上部フランジ３０，３２は、ビードワイヤーコイルを固着するためにそれら各々のコイルマウント２２，２４に再び取り付けられる。使い尽くされたビードワイヤーコイルは取り外され、新しいビードワイヤーコイルが、所望なら、繰り返し取り付けられる。
【００１６】
今図３を参照すると、ビードワイヤー巻き出しシステム１０は、第１ビードワイヤーコイル４０が第１コイルマウント２２に取り付けられ、第２ビードワイヤーコイル４２が第２コイルマウント２４に取り付けられた状態で示されている。分かるように、ビードワイヤー４４は、第１ビードワイヤーコイル４０からプーリー２０の回りを経て出力場所（図示せず）に供給される。また、第１ビードワイヤーコイル４０の後端４６は、第１ビードワイヤーコイル４０の外側に延び、かくして、作業者にとって便利である。次いで、第１ビードワイヤーコイル４０の後端４６を、限定されないが、溶接を含む種々の方法で第２ビードワイヤーコイル４２のリード端４８に接続することができる。第１ビードワイヤーコイル４０の後端４６を第２ビードワイヤーコイル４２のリード端４８に案内するのを助けるアームバー５０が、支持フレーム１２に連結されるのがよい。第１ビードワイヤーコイル４０の後端４６と第２ビードワイヤーコイル４２のリード端４８との接続は、第１ビードワイヤーコイル４０と第２ビードワイヤーコイル４２との間のビードワイヤー４４の連続長さの用意をする。かくして、第１ビードワイヤーコイル４０が巻き戻され、ついに、使い尽くされると、ビードワイヤー巻き出し作業は、中断なしに、第２ビードワイヤーコイル４２に自動的に切り換えられる。
【００１７】
図４は、第１ビードワイヤーコイル４０から第２ビードワイヤーコイル４２へのこの移行の始まりを示す。分かるように、第１ビードワイヤーコイル４０は第１コイルマウント２２から完全に巻き戻されている。第２ビードワイヤーコイル４２のリード端４８が第１ビードワイヤーコイル４０の後端４６に接続されるから、第２ビードワイヤーコイル４２のリード端４８はビードワイヤー巻き出し工程によってビードワイヤー４４に付与されるテンションを受け始める。第１ビードワイヤーコイル４０からのビードワイヤーの最後の量が巻き戻されると、第２ビードワイヤーコイル４２のリード端４８に付与されたこのテンションにより、アームバー５０をプーリー２０の方に上方に回転させる。このアームバー５０は、ビードワイヤー４４を案内して平滑な移行を確保するために、第１ビードワイヤーコイル４０から第２ビードワイヤーコイル４２への移行中、ビードワイヤー４４に適当なテンションを維持するのを助ける。ビードワイヤー４４がビードワイヤー巻き出しシステム１０から引っ張られ続けると、アームバー５０は、図５に示すように、垂直支持体１８の方に上方に回転し続ける。これが起こっていると、ビードワイヤー４４は、第２ビードワイヤーコイル４２から巻き戻し始める。ついには、図６に示すように、アームバーは垂直支持体１８に寄り掛かるようになり、第１ビードワイヤーコイル４０から第２ビードワイヤーコイル４２への移行が完了する。この時点で、第２ビードワイヤーコイル４２からの残りのビードワイヤー４４は巻き戻される。
【００１８】
第２ビードワイヤーコイル４２が完全に使い尽くされた後ビードワイヤー巻き出しシステム１０の操作が、続けられるならば、新しいビードワイヤーコイル６０が、図７に示すように、使い尽くされた第１ビードワイヤーコイル４０と交換するため、第１コイルマウント２２に置かれる。第１ビードワイヤーコイル４０と新しいビードワイヤーコイル６０との交換は、ビードワイヤー巻き出しシステム１０が依然として作動していて、第２ビードワイヤーコイル４２からビードワイヤー４４を巻き出している間に行なわれる。この新しいビードワイヤーコイルのリード端６２を第２ビードワイヤーコイル４２の後端（図示せず）に取り付けることができるため、第２ビードワイヤーコイル４２が完全に使い尽くされたとき、作業が第１コイルマウント２２の方に自動的に切換えられ、新しいビードワイヤーコイル６０が巻き出し始める。新しいビードワイヤーコイル６０に加えて、更なるビードワイヤーコイルは、第１及び第２コイルマウント２２，２４の使い尽くされたビードワイヤーコイルを交換し続け、他のコイルマウント２２，２４は巻き出しシステム１０によって現在巻き戻されているビードワイヤーコイルを保持する。この方法で、ビードワイヤー巻き出しシステム１０は、新しいビードワイヤーコイルを接続するため中断することなくビードワイヤーを連続的に巻き出すことができ、かくして、ビードワイヤー巻き出しシステムの全効率を増大させる。
【００１９】
交換ビードワイヤーコイルは、種々の方法で第１及び第２コイルマウント２２，２４に設置される。一般的には、ビードワイヤーコイルは、最初に、それぞれのコイルマウント２２，２４から第１上部フランジ３０又は第２上部フランジ３２を取り外すことによって、次いでビードワイヤーコイルを、機械の助けを借りて、又は手で、ゆっくりと下げることによって、コイルマウント２２，２４に重力の助けを借りて置かれる。図８は、ビードワイヤーを現在巻き出している他のコイルとの潜在的な干渉を制限しながら、新しいビードワイヤーコイルの取付けを容易にする支持構造体１２の２つの追加の観点を示す。これらの追加の各々では、水平支持体１３の第１コイル支持体１４と第２コイル支持体１６の両方は、新しいビードワイヤーコイルの取付けを容易にするために、コイル装填形態とコイル巻き出し形態との間で互いに独立に移動することができる。１つの例では、コイル巻き出し形態では、ビードワイヤー巻き出しシステム１０の中心線５２の方に傾けられた第１コイル支持体１４は、コイル装填形態、即ちもっと水平な非傾むき位置に向かってＡ方向に下方に回転される。第１コイル支持体１４が傾けられるよりも水平である間、新しいビードワイヤーコイルを案内して第１コイル支持体１４に取り付けるのが容易である。第２コイル支持体１６はまた、第１コイル支持体１４とは無関係に、同じ方法で操作される。同様に、第１コイル支持体１４は、第１コイル支持体１４、かくして、第１コイルマウント２２を、コイル巻き出し形態から、即ちビードワイヤー巻き出しシステム１０の中心線５２から離れてコイル装填形態の方に移動させるために、Ｂ方向に長手方向に滑らせてもよい、この移動は、第１コイル支持体１４と巻き出しシステム１０との間に追加の間隔を可能にし、かくして既に取り付けられた他のビードワイヤーコイルからの連続巻き出しを気づかうことなく又はそれと干渉することなく新しいビードワイヤーコイルの取付けを容易にする。第２コイル支持体１６は、また、第１コイル支持体１４とは無関係に、同じ方法で操作される。更に、第１及び第２コイル支持体１４，１６は、Ｂ方向とＡ方向に長手方向移動と傾き移動の両方の移動を可能にするように設計されてもよい。
【００２０】
全体の巻き出し作業中、ビードワイヤー巻き出しシステム１０に装填されるビードワイヤーコイル４０，４２，６０は、定置のままでもよく、回転しない。むしろ、巻き出しモータによってビードワイヤー４４にテンションが付与され、ビードワイヤーが定置のビードワイヤーコイル４０，４２，６０から引き出されるならば、受動巻き出しシステムが採用される。かくして、ビードワイヤーが巻き戻されているとき、ビードワイヤー４４は、コイルマウント２２の軸線を中心に回転し、それにより、上部フランジ３０，３２の回りを滑る。ビードワイヤーコイル４０，４２，６０の駆動回転巻き出しの排除は、ビードワイヤー巻き出しシステム１０の製造と操作を簡単化する。
【００２１】
しかしながら、標準のビードワイヤーコイルは、上記のビードワイヤー巻き出しシステム１０に対して使えない。周知のビートワイフー巻き出しシステム１０は、ビードワイヤーが巻き出されるときビードワイヤーコイルそれ自体が回転する、ビードワイヤーの駆動巻き出しを利用する。ビードワイヤーがコイルマウント２２，２４の上部フランジ３０，３２の回りに円周方向に受動的に巻き戻すので、巻き戻されたビードワイヤー４４は、それが巻き戻されているとき、軸方向に自然に撚れる。本質的に、ビードワイヤー４４は、それがコイルマウント２２，２４から巻き戻されていると、コイルマウント２２，２４の回りに３６０度全回転毎に３６０度軸方向に撚れる。ビードワイヤー４４が巻き戻され続けると、巻き戻されたビードワイヤー４４にますます撚りが形成され、ついには、ビードワイヤー４４は、キンクし，可塑的に変形し、或いはビードワイヤー巻き出しシステム１０からまるっきり外れることすらある。かくして、上記の受動巻き出しシステムでのビードワイヤーの使用は、特別な方法でビードワイヤーコイルを製造し、かつ巻くことによって解決されるユニークな挑戦を提示する。
【００２２】
特に、ビードワイヤーコイル４０，４２，６０は、一回転当たり残留した単一軸方向撚りを有するように製造される。本質的には、ビードワイヤー４４が巻かれてコイルになると、一回転当たり単一の軸方向撚りが加えられる。かくして、ビードワイヤー４４がビードワイヤーコイル４０から巻き戻されると、軸方向撚りは巻き戻されたビードワイヤー４４に加えられず、その代わり、受動巻き出しシステムは、巻き戻されたビードワイヤー４４から残留した軸方向撚りを除去し、かくして、真っ直ぐな撚りなしビードワイヤーをビードワイヤーコイル４０，４２，６０から巻き出す。
【００２３】
ビードワイヤーコイルがビードワイヤー巻き出しシステムに使用される他のユニークな挑戦は、ビードワイヤーの後端の接近容易性である。伝統的なビードワイヤー巻き出しシステムでは、ビードワイヤーコイルが完全に使い尽くされ、次いで交換される。かくして、ビードワイヤーコイルの後端は、露出され、作業者に接近できる必要はない。しかしながら、ビードワイヤー巻き出しシステム１０は２つのコイルマウント２２，２４間で切り換えることによってビードワイヤー４４を連続的に巻き出すように設計されているから、ビードワイヤー巻き出しシステム１０に使用されるべき各ビードワイヤーコイルの後端を露出させなければならない。例えば、第１ビードワイヤーコイル４０は、前に図３に示し、今図９に示すように、露出した後端４６を含む。後端４６を露出させて（ビードワイヤー巻き出しシステムに使用されるあらゆる他のビードワイヤーコイルに加えて）第１ビードワイヤーコイル４０を製造することにより、後端４６を、図３に示すように、第２ビードワイヤーコイル４２の後端４８のような他のビードワイヤーコイルのリード端に容易に溶接し、さもなければ取り付ける。後端４６が図９に示すように、露出されなかったならば、ビードワイヤー巻き出しシステム１０の有利な連続作業は達成できない。
【００２４】
しかしながら、ビードワイヤーコイルの露出した後端は、輸送配送中ビードワイヤーコイルの後端に又は他の部分に潜在的に損傷を与えてしまうことがある。かくして、ビードワイヤーコイルをこの潜在的な損傷から保護することが望ましい。１つの例では、図９，１０及び１１に示すように、第１ビードワイヤーコイル４０の後端４６は、内側プロテクター７０及び外側プロテクター７２の使用で保護される。内側プロテクター７０は、開口７４を有し、後端４６は、図１０に示すように、この開口から供給される。内側プロテクター７０は、第１ビードワイヤーコイル４０に隣接して配置され、次いで外側プロテクター７２は、図１１示すように、後端４６を完全に密封するために、第１プロテクター７０の上に配置される。内側及び外側プロテクター７０，７２は、種々の方法で第１ビードワイヤーコイル４０に取り付けられる。限定されないが、伸縮ラップ（図示せず）でビードワイヤーコイル４０全体を包装することを含む、種々の方法で第１ビードワイヤーコイル４０に取り付けられる。次いで第１ビードワイヤーコイル４０は図１１に示すように輸送される。配送されると、第１ビードワイヤーコイル４０をビードワイヤー巻き出しシステム１０に取り付ける前にプロテクター７０，７２の一方又は両方を、取り除いて後端４６を露出させる。
【００２５】
ビードワイヤーコイルの使用を簡単にするために、ビードワイヤーコイルは輸送され、ついには、スプールの使用なしに巻き戻される。伝統的なビードワイヤーコイルは剛性の中心スプールで輸送され、剛性の中心スプールかち巻き戻され、これらのスプールは重く、高価である。かくして、スプールからビードワイヤーが使い尽くされるとき、空のスプールは、スプールを処分するよりは、しばしば製造業者に戻され、かくして、輸送費が増す。その代わり、（ビードワイヤー巻き出しシステム１０に使用される他のビードワイヤーコイルと共に）第１ビードワイヤーコイル４０は、中心スプール又はリールなしに輸送され、そして巻き戻される。その代わり、図９に示すように、ビードワイヤー４４は、一回の使用後容易に処分することができる厚紙のような安価な材料で作られた簡単な使い捨てコア７６に巻かれる。ビードワイヤーを使い捨てコア７６に巻くとき、使い捨てコア７６は、巻き取り工程中コアー７６を安定させかつ支持するつぶせるリールの上に置かれる。次いでビードワイヤーは、つぶせるリールがコア７６を支持して使い捨てコアに巻かれる。ビードワイヤーがコア７６に巻かれると、つぶせるリールは潰されそして完成したビードワイヤーコイルから取り除かれる。輸送及び貯蔵中第１ビードワイヤーコイル４０を更に固定するために、数本のバンド７８が第１ビードワイヤーコイルの回りに掛けられる。配送及びビードワイヤー巻き出しシステム１０に第１ビードワイヤーコイル４０の取付け後、これらのバンド７８は切断され、さもなければ、取り除かれて第１ビードワイヤーコイル４０を解放する。
【００２６】
図１及び２に示すように、支持フレーム１２及び第１及び第２コイルマウント２２，２４は特別の設計及び形状を有しているけれども、それらはそのように限定されたい。第１及び第２コイルマウント２２，２４を取付けかつ維持することのできる任意の支持フレーム１２をも考えられる。更に、第１及び第２コイルマウント２２，２４は、支持フレームを必要とせず、その代わり、互いに隣接して個別に配置されてもよい。更に、支持することができ、かつビードワイヤーコイルの交換を可能にする第１及び第２コイルマウント２２，２４のどんな設計をも考えられる。更に、第１及び第２コイルマウントに加えて、各巻き出しビートワイヤー間で切り換えることができる全部で３つ又は４つのコイルマウントを使用することを含む、どんな数のコイルマウントを使用してもよい。
【００２７】
上記の実施形態はビードワイヤー巻き出しシステム１０を垂直に床立ちとして示しているが、システムは、それに限定されない。ビードワイヤー巻き出しシステム１０の一部分又は全部を、壁に、天井に、さかさまに、水平に及び所望ならば、種々の角度に取り付けてもよい。
【００２８】
有利には、上記のビードワイヤー巻き出しシステムは、機械の生産性を高め、予防保守を少なくし、磨耗した可動部品の交換を少なくする。可動部品の欠如は、また、安全性を増大させ、騒音の減少をもたらす。更に、ビードワイヤーコイル全体が、新しいビードワイヤーコイルに移行する前に使い尽くされるから、ビートワイヤーのスクラップ量を在来のビードワイヤー巻き出しシステムと比較して減少させる。
【００２９】
開示の記載は、本質的に、単なる例示であり、かくして、開示の本質から逸脱しない変形例は開示の範囲内にある。かかる変形例は、開示の精神及び範囲からの逸脱と見なされない。
【図１】
2019529168.tif 000003
【図２】
2019529168.tif 000004
【図３】
2019529168.tif 000005
【図４】
2019529168.tif 000006
【図５】
2019529168.tif 000007
【図６】
2019529168.tif 000008
【図７】
2019529168.tif 000009
【図８】
2019529168.tif 000010
【図９】
2019529168.tif 000011
【図１０】
2019529168.tif 000012
【図１１】
2019529168.tif 000013
【国際調査報告】
2019529168.tif 000014
2019529168.tif 000015